(57)【要約】【課題】観賞者が映像観賞用メガネの電池残量を一目で確認する。【解決手段】液晶シャッターメガネ１は、表示装置２に表示される映像を観賞者に対し、当該映像を表示状態と非表示状態とに切り替えることが可能な液晶シャッター１２を備えている。そして、液晶シャッターメガネ１は、液晶シャッターメガネ１における電池残量を検出する電池残量検出部１１２と、液晶シャッター１２を、電池残量検出部１１２が検出した電池残量に応じた光の透過状態に保持する保持制御部１１５と、を備えている。【選択図】図１
2012161043.tif 000002
【特許請求の範囲】
【請求項１】
表示装置に表示される映像を観賞者に対し、当該映像を表示状態と非表示状態とに切り替えることが可能な映像切替用シャッターを備える映像観賞用メガネであって、
上記映像観賞用メガネにおける電池残量を検出する電池残量検出手段と、
上記映像切替用シャッターを、上記電池残量検出手段が検出した電池残量に応じた光の透過状態に保持する保持制御手段と、を備えることを特徴とする映像観賞用メガネ。
【請求項２】
上記電池残量検出手段が検出した電池残量が所定量以上であるかを判定する電池残量判定手段を備え、
上記保持制御手段は、
上記電池残量判定手段が上記所定量以上であると判定したときの上記映像切替用シャッターの透過率と、上記所定量未満であると判定したときの透過率との相違を上記観賞者が認識可能なように、それぞれの透過率を設定し、その設定した透過率を上記透過状態とすることを特徴とする請求項１に記載の映像観賞用メガネ。
【請求項３】
上記電池残量検出手段が検出した電池残量が、第１所定量を示す第１閾値以上であるか、及び当該第１所定量よりも少ない第２所定量を示す第２閾値以上であるかを判定する電池残量判定手段を備え、
上記保持制御手段は、
上記電池残量判定手段が上記第１閾値以上であると判定したときの上記映像切替用シャッターの透過率と、上記第１閾値未満、上記第２閾値以上であると判定したときの透過率と、上記第２閾値未満であると判定したときの透過率との相違を上記観賞者が認識可能なように、それぞれの透過率を設定し、その設定した透過率を上記透過状態とすることを特徴とする請求項１に記載の映像観賞用メガネ。
【請求項４】
上記表示状態と非表示状態とを切り替えるための同期信号の受信可否を切り替える受信可否切替手段を備え、
上記保持制御手段は、上記映像切替用シャッターを、上記受信可否切替手段による受信可否の切替状態に応じた透過状態に保持することを特徴とする請求項１から３のいずれか１項に記載の映像観賞用メガネ。
【請求項５】
上記映像切替用シャッターは、第１映像切替用シャッター及び第２映像切替用シャッターを備え、
上記保持制御手段は、上記第１映像切替用シャッター及び上記第２映像切替用シャッターのそれぞれについて、上記透過状態の保持制御を行うことを特徴とする請求項１から４のいずれか１項に記載の映像観賞用メガネ。
【請求項６】
上記映像切替用シャッターは、強誘電性液晶又は反強誘電性液晶からなるシャッター膜を備えることを特徴とする請求項１から５のいずれか１項に記載の映像観賞用メガネ。
【請求項７】
表示装置に表示される映像を観賞者に対し、当該映像を表示状態と非表示状態とに切り替えることが可能な映像切替用シャッターを備える映像観賞用メガネの制御方法であって、
上記映像観賞用メガネにおける電池残量を検出する電池残量検出ステップと、
上記映像切替用シャッターを、上記電池残量検出ステップにおいて検出された電池残量に応じた光の透過状態に保持する保持制御ステップと、を含むことを特徴とする映像観賞用メガネの制御方法。
【請求項８】
映像を表示する表示装置と、
観賞者が着用することにより、表示装置に表示された映像の観賞を可能とする、請求項１から６のいずれか１項に記載の映像観賞用メガネと、を備える映像観賞システム。
【発明の詳細な説明】
【技術分野】
【０００１】
本発明は、表示装置に表示される映像を観賞するための映像観賞用メガネ等に関するものである。
【背景技術】
【０００２】
近年、３次元（Three Dimensional；３Ｄ）的な立体視を可能にする技術が急激に進歩し、映画やテレビにおける３次元映像技術が普及し始めている。このような３次元映像技術は、基本的に、左右の目の間隔によって生じる両眼視差を利用するものである。たとえば、３次元映像専用である、右目用映像および左目用映像を別々に表示させ、観賞者の右目および左目のそれぞれの目のみで観賞させることによって、３次元映像の観賞を実現することができる。
【０００３】
このように、右目用映像及び左目用映像を、観賞者がそれぞれ別の目で別々に見ることができるように、観賞者の右目および左目の前に電気的な操作によって開閉する液晶シャッターをそれぞれの目の前に配置する液晶シャッターメガネが提案されている（例えば、特許文献１を参照）。
【０００４】
なお、特許文献１では、液晶に電圧を印加しないときに光遮断状態となる「ノーマリーブラック」の液晶シャッターが開示されている。
【先行技術文献】
【特許文献】
【０００５】
【特許文献１】特開平８−２０１９４２号公報（１９９６年８月９日公開）
【発明の概要】
【発明が解決しようとする課題】
【０００６】
ここで、特許文献１のように「ノーマリーブラック」の液晶シャッターを備えた液晶シャッターメガネが電池切れである場合、右目用及び左目用の液晶シャッターともに閉状態となるため、電源を入れて装着しても視界が真っ暗となる。このため、観賞者は、その電池切れを認識することができる。なお、「電池切れ」とは、当該メガネの各部に十分な電力供給ができなくなっている状態を指す。
【０００７】
しかし、この場合、映像の表示タイミングと液晶シャッターの開閉タイミングとが同期していないときには電池残量に関わらず液晶シャッターが閉状態となるため、観賞者は、電池残量が十分であるかどうかを一目で判断できなかった。
【０００８】
また、「ノーマリーホワイト」の液晶シャッターを備えた液晶シャッターメガネが電池切れである場合、右目用及び左目用の液晶シャッターともに開状態となるため、観賞者が両目で右目用映像及び左目用映像が確認できる状態となる。この場合、映像がぼやけて見えることになるが、それが電池切れに起因した映像ぼけであるのかを観賞者が認識することができない可能性がある。特に３次元映像の観賞に不慣れ者にとっては、その違いを認識することは困難である。つまり、映像の特性又は観賞者の経験によっては、電池切れの状況に気付かない可能性がある。
【０００９】
また、「ノーマリーブラック」及び「ノーマリーホワイト」のいずれの液晶シャッターであっても、観賞者が液晶シャッターメガネの電池切れについて把握できたとしても、映像観賞中かどうかを問わず、その電池残量を一目で確認する術はなかった。
【００１０】
本発明は、上記の問題を解決するためになされたもので、その目的は、観賞者が映像観賞用メガネの電池残量を一目で確認することが可能な映像観賞用メガネ、映像観賞用メガネの制御方法、及び映像観賞システムを提供することにある。
【課題を解決するための手段】
【００１１】
本発明に係る映像観賞用メガネは、上記の課題を解決するために、表示装置に表示される映像を観賞者に対し、当該映像を表示状態と非表示状態とに切り替えることが可能な映像切替用シャッターを備える映像観賞用メガネであって、上記映像観賞用メガネにおける電池残量を検出する電池残量検出手段と、上記映像切替用シャッターを、上記電池残量検出手段が検出した電池残量に応じた光の透過状態に保持する保持制御手段と、を備えることを特徴としている。
【００１２】
本発明に係る映像観賞用メガネの制御方法は、上記の課題を解決するために、上記表示装置に表示される映像を観賞者に対し、当該映像を表示状態と非表示状態とに切り替えることが可能な映像切替用シャッターを備える映像観賞用メガネの制御方法であって、上記映像観賞用メガネにおける電池残量を検出する電池残量検出ステップと、上記映像切替用シャッターを、上記電池残量検出ステップにおいて検出された電池残量に応じた光の透過状態に保持する保持制御ステップと、を含むことを特徴としている。
【００１３】
上記構成によれば、保持制御手段は、映像切替用シャッターを、電池残量検出手段が検出した電池残量に応じた光の透過状態に保持する。それゆえ、観賞者は、映像観賞用メガネを見るだけで、その映像観賞用メガネの電池残量を容易に確認することができる。
【００１４】
本発明に係る映像観賞用メガネは、上記電池残量検出手段が検出した電池残量が所定量以上であるかを判定する電池残量判定手段を備え、上記保持制御手段は、上記電池残量判定手段が上記所定量以上であると判定したときの上記映像切替用シャッターの透過率と、上記所定量未満であると判定したときの透過率との相違を上記観賞者が認識可能なように、それぞれの透過率を設定し、その設定した透過率を上記透過状態とすることが好ましい。
【００１５】
上記構成によれば、保持制御手段は、電池残量が所定量以上であるときの映像切替用シャッターの透過率と、電池残量が所定量未満であるときの透過率との相違を観賞者が認識できるように、それぞれの透過率を設定する。このため、観賞者は、映像観賞用メガネを見るだけで、電池残量が所定量未満になったことを確認することができるので、早期に充電や電池交換等の対応を取ることができる。
【００１６】
本発明に係る映像観賞用メガネは、上記電池残量検出手段が検出した電池残量が、第１所定量を示す第１閾値以上であるか、及び当該第１所定量よりも少ない第２所定量を示す第２閾値以上であるかを判定する電池残量判定手段を備え、上記保持制御手段は、上記電池残量判定手段が上記第１閾値以上であると判定したときの上記映像切替用シャッターの透過率と、上記第１閾値未満、上記第２閾値以上であると判定したときの透過率と、上記第２閾値未満であると判定したときの透過率との相違を上記観賞者が認識可能なように、それぞれの透過率を設定し、その設定した透過率を上記透過状態とすることが好ましい。
【００１７】
上記構成によれば、観賞者は、第１閾値以上であるときの映像切替用シャッターの透過率と、第１閾値未満、第２閾値以上であるときの透過率と、第２閾値未満であるときの透過率との相違を観賞者が認識できるように、それぞれの透過率を設定する。すなわち、電池残量を３つの状態で表すことができるので、観賞者は、電池残量を段階的に確認することができる。このため、観賞者は、電池残量がどのくらいでなくなってしまうかを容易に予測することができるので、早期に充電や電池交換等の対応を取ることができる。
【００１８】
本発明に係る映像観賞用メガネは、上記表示状態と非表示状態とを切り替えるための同期信号の受信可否を切り替える受信可否切替手段を備え、上記保持制御手段は、上記映像切替用シャッターを、上記受信可否切替手段による受信可否の切替状態に応じた透過状態に保持することが好ましい。
【００１９】
上記構成によれば、観賞者は、映像観賞用メガネを見るだけで、電池残量の確認とともに同期信号の受信可否状態についても、容易に確認することができる。このため、電池残量の状態だけでなく、同期信号を受信不可の状態（スイッチオフの状態）で映像を観賞するような状況を未然に防ぐことができる。
【００２０】
本発明に係る映像観賞用メガネでは、上記映像切替用シャッターは、第１映像切替用シャッター及び第２映像切替用シャッターを備え、上記保持制御手段は、上記第１映像切替用シャッター及び上記第２映像切替用シャッターのそれぞれについて、上記透過状態の保持制御を行うことが好ましい。
【００２１】
上記構成によれば、第１視差映像観賞用シャッター及び第２視差映像観賞用シャッターをそれぞれの透過状態に保持することにより、その保持方法のバリエーションを増やすことができる。このため、電池残量を細分化して表すことができるので、観賞者は、より詳細な電池残量の状況を把握することができる。
【００２２】
なお、電池残量の確認とともに同期信号の受信可否状態の確認を行うことが可能な映像切替用シャッターを提供することも可能となる。
【００２３】
本発明に係る映像観賞用メガネでは、上記映像切替用シャッターは、強誘電性液晶又は反強誘電性液晶からなるシャッター膜を備えることが好ましい。
【００２４】
上記構成によれば、強誘電性液晶又は反強誘電性液晶は、液晶状態保持のために電力を消費しないので、映像切替用シャッターの透過状態を、電力を消費せずに保持できる。
【００２５】
このため、例えば、同期信号の受信可否状態を確認している場合、同期信号が受信可能な状態から受信不可の状態となった後に、少なくとも電池残量検出手段による検出処理を行うことなく（電池残量のモニタリングを行うことなく）、電池残量に応じた光の透過状態を保持できる。
【００２６】
また、本発明に係る映像観賞システムは、映像を表示する表示装置と、観賞者が着用することにより、表示装置に表示された映像の観賞を可能とする、上記に記載の映像観賞用メガネと、を備えるものである。
【００２７】
上記構成によれば、電池残量を一目で確認することができる映像観賞用メガネを利用して、表示装置の映像を観賞する映像観賞システムを実現することができる。
【発明の効果】
【００２８】
本発明に係る映像観賞用メガネは、以上のように、上記映像観賞用メガネにおける電池残量を検出する電池残量検出手段と、上記映像切替用シャッターを、上記電池残量検出手段が検出した電池残量に応じた光の透過状態に保持する保持制御手段と、を備える構成である。
【００２９】
本発明に係る映像観賞用メガネの制御方法は、以上のように、上記映像観賞用メガネにおける電池残量を検出する電池残量検出ステップと、上記映像切替用シャッターを、上記電池残量検出ステップにおいて検出された電池残量に応じた光の透過状態に保持する保持制御ステップと、を含む方法である。
【００３０】
それゆえ、観賞者は、映像観賞用メガネを見るだけで、その映像観賞用メガネの電池残量を容易に確認することができるという効果を奏する。
【図面の簡単な説明】
【００３１】
【図１】本発明の一実施形態に係る液晶シャッターメガネの概略構成の一例を示すブロック図である。
【図２】本発明の一実施形態に係る液晶シャッターメガネを含む映像観賞システムの概略構成の一例を示す図である。
【図３】本発明の一実施形態に係る液晶シャッターメガネにおけるＴＮ型液晶により実現される液晶シャッターの概略構成の一例を示す図であり、（ａ）は電圧オフ時の様子を示し、（ｂ）は電圧オン時の様子を示すものである。
【図４】本発明の一実施形態に係る液晶シャッターメガネにおけるＴＮ型液晶により実現される別の液晶シャッターの概略構成の一例を示す図であり、（ａ）は電圧オフ時の様子を示し、（ｂ）は電圧オン時の様子を示す。
【図５】本発明の一実施形態に係る液晶シャッターメガネにおける強誘電性液晶により実現される液晶シャッターの概略構成の一例を示す図であり、（ａ）は光遮断状態であるときの様子を示し、（ｂ）は光透過状態であるときの様子を示す。
【図６】本発明の一実施形態に係る液晶シャッターメガネにおける制御の一例を示すフローチャートである。
【図７】本発明の一実施形態に係る液晶シャッターメガネにおける同期信号の検出の有無と電池残量に対応する液晶シャッターの透過状態との対応関係の一例を示す図である。
【図８】液晶シャッターが一般的な「ノーマリーブラック」の場合の同期信号の検出の有無と電池残量に対応する液晶シャッターの透過状態との対応関係を示す図である。
【図９】液晶シャッターが一般的な「ノーマリーホワイト」の場合の同期信号の検出の有無と電池残量に対応する液晶シャッターの透過状態との対応関係を示す図である。
【図１０】本発明の一実施形態に係る液晶シャッターメガネにおける同期信号の検出の有無と電池残量に対応する液晶シャッターの透過状態との対応関係の別の一例を示す図である。
【図１１】本発明の一実施形態に係る液晶シャッターメガネにおける同期信号の検出の有無と電池残量に対応する液晶シャッターの透過状態との対応関係のさらに別の一例を示す図である。
【図１２】本発明の一実施形態に係る液晶シャッターメガネにおける同期信号の検出の有無と電池残量に対応する液晶シャッターの透過状態との対応関係のさらに別の一例を示す図である。
【図１３】本発明の一実施形態に係る液晶シャッターメガネにおける別の制御の一例を示すフローチャートである。
【発明を実施するための形態】
【００３２】
本発明の実施の一形態について図１〜図１３に基づいて説明すれば、以下のとおりである。説明の便宜上、図面に示した部材と同一の機能を有する部材については、同一の符号を付し、その説明を省略する。
【００３３】
〔映像観賞システム１０の概略構成〕
液晶シャッターメガネ１（映像観賞用メガネ）の説明に入る前に、液晶シャッターメガネ１を含む映像観賞システム１０について図２を用いて説明する。図２は、液晶シャッターメガネ１を含む映像観賞システム１０の概略構成の一例を示す図である。
【００３４】
本実施形態に係る映像観賞システム１０は、例えば記録再生装置４によって再生され、ディスプレイを含む表示装置２において表示される視差映像を、液晶シャッターメガネ１を装着する観賞者に３次元映像（立体映像）として観賞させることが可能なものである。これは、液晶シャッターメガネ１が備える液晶シャッター１２（図１参照）の開閉タイミングを視差映像の表示タイミングと同期をとることにより実現される。
【００３５】
なお、液晶シャッター１２の片方（例えば右目用液晶シャッター１２１（図１参照））を同期させずに閉じたままの状態とすれば、観賞者に２次元（２Ｄ）映像を観賞させることも可能である。また、液晶シャッターメガネ１が複数の観賞者（ここでは眼鏡使用者とも称する）によって使用される場合には、３次元映像を観賞させるときの同期のとり方と異なる同期をとり方とすることにより、１台のテレビ２に表示される、異なるコンテンツ（２Ｄ映像）を観賞者に観賞させることも可能である。この場合、液晶シャッターメガネ１のシャッター制御部１１（図１参照）は、右目用液晶シャッター１２１と左目用液晶シャッター１２２とを同時に開く（あるいは閉じる）ように制御する。例えば、眼鏡使用者Ａ及びＢが存在する場合、眼鏡使用者Ａ用のコンテンツを表示しているとき、眼鏡使用者Ａの両シャッターが開状態、眼鏡使用者Ｂの両シャッターを閉状態となる。一方、眼鏡使用者Ｂ用のコンテンツを表示しているときに、眼鏡使用者Ｂの両シャッターが開状態、眼鏡使用者Ａの両シャッターを閉状態となる。
【００３６】
ここで、視差映像とは、観賞者の左右の目の視差を利用させることが可能な映像であって、観賞者に左目を通じて視認させる左目用映像と、当該観賞者に右目を通じて視認させる右目用映像とをいう。
【００３７】
図示するように、本実施形態に係る映像観賞システム１０は、おもに液晶シャッターメガネ１、表示装置２、記録再生装置４、中継器５及び操作部６を備える。
【００３８】
液晶シャッターメガネ１は、表示装置２とともに用いられるものであり、偏光板、液晶層及び偏光板の三層構造を備え、液晶層で２つの透過偏光を切り替えることにより、観賞者の左右の目の視認可否を切り替えることができるようになっている。より具体的には、液晶シャッターメガネ１は、光の通過及び遮断を制御するシャッター駆動信号により液晶シャッター１２を開閉させ、そのシャッター駆動信号は、表示装置２から出力される所望の映像信号のフィールド周波数に同期がとれており、かつ信号幅も映像信号に対応したものとなっている。したがって、このシャッター駆動信号によりシャッターを開閉することにより、観賞者は、複数の映像信号のうち、選択された「１つの映像信号に対応した映像」だけをシャッター開状態で見ることができ、かつ、それ以外の映像はシャッター閉状態で見ることができないため、所望の映像だけを観賞することができる。
【００３９】
なお、３次元映像を観賞するために観賞者が着用するメガネとしては、液晶シャッターメガネ１に限らず、他の仕組みを用いて視認可否を可能にするものであってもよい。例えば、回転するプレートがメガネの左右の目の前に取り付けられており、シャッターを閉じるタイミングにおいて、プレートがメガネの右または左の目を覆うという構成であってもよい。液晶シャッターメガネ１の要部構成については後述する。
【００４０】
また、同図では、液晶シャッターメガネ１を２台備えた場合について例示しているが、これに限らず、１台であってもよく、また、３台以上備えていてもよい。複数台以上備えている場合には、液晶シャッターメガネ１の液晶シャッター１２の開閉タイミングを、それぞれにおいて異なるものとすることにより、複数の観賞者が１つの表示装置２で同時に複数の異なるコンテンツに係る映像（２次元映像、３次元映像のいずれも含む）を観賞することができる。
【００４１】
また、同図では、液晶シャッターメガネ１は、中継器５を介して、表示装置２とケーブルを介して有線接続されている。しかしながら、液晶シャッターメガネ１は、中継器５、および／または、表示装置２と、無線接続されていてもよい。
【００４２】
表示装置２は、例えば記録再生装置４によって再生される映像を表示するものである。表示装置２は、例えば、３次元映像が表示可能な、液晶テレビ、液晶モニタ、プラズマテレビ、リアプロジェクション、プロジェクター、映画投影装置、携帯電話機、携帯情報端末、パーソナルコンピューター、電子書籍端末、ウェアラブル端末などにより実現される。また、表示装置はディスプレイを備えており、当該ディスプレイは、ＬＣＤ（液晶ディスプレイ）、ＰＤＰ（プラズマディスプレイパネル）、またはＣＲＴ（cathode-ray tube）ディスプレイなどにより実現される。
【００４３】
操作部６は、観賞者が表示装置２及び記録再生装置４を動作させるための指示信号を入力するものであり、例えば、表示装置２を遠隔操作するリモコンや、表示装置２自体に設けられた操作ボタン、あるいは、表示装置２に接続された、マウスやキーボードなどで構成されてよい。操作部６を用いて観賞者により入力された指示信号は、図示しない入出力制御部を介して、表示装置２、および／または、記録再生装置４の各部に送られる。これにより、観賞者は、表示装置２、記録再生装置４を操作することができる。
【００４４】
また、本実施形態では、操作部６は、３次元映像および２次元映像の切り替えを実現させるものであってもよい。すなわち、観賞者は、操作部６を介した入力操作により、自身が観賞したい映像の表示態様（２次元／３次元）を表示装置２に入力することができる。
【００４５】
なお、同図では、操作部６は１台のみ記載されている。しかしながら、表示装置２及び記録再生装置４に対してそれぞれ別々に備えられていてよい。
【００４６】
記録再生装置４は、ＢＤ（Blu-Ray（登録商標） Disc）あるいはＤＶＤ（Digital Versatile Disc）、ＨＤＤ（Hard Disc Drive）等の情報記録媒体に記録された映像情報を再生するものであり、公知の記録再生装置であってよい。
【００４７】
なお、同図では、記録再生装置４によって再生された映像信号が表示装置２に入力されるものとして説明している。しかしながら、記録再生装置４ではなく、ＩＰ（Internet Protocol）ネットワークを使ってリアルタイム放送や映画などのコンテンツを配信するサービスを利用して受信した映像データに対応する映像が表示装置２に表示されてもよい。その一例として、決められた放送スケジュールにしたがって番組をリアルタイムに配信する放送タイプのサービスであるリニアＴＶ、または、受信側からの配信要求に応じて、該コンテンツ処理装置にユニキャストでコンテンツを配信するサービスであるＶｏＤ（Video on Demand）を利用して取得した映像データに対応する映像が表示装置２に表示されてもよい。また、地上波デジタル放送またはケーブルテレビによる映像を表示装置２に表示してもよい。
【００４８】
中継器５は、液晶シャッターメガネ１、表示装置２、及び記録再生装置４を互いに接続するためのものである。ただし、液晶シャッターメガネ１および記録再生装置４を表示装置２に直接接続するとき、液晶シャッターメガネ１と表示装置２とを無線接続にするとき、または、記録再生装置４が表示装置２に内蔵されているとき、などには、中継器５は特に必要ではない。
【００４９】
〔液晶シャッターメガネ１の概略構成〕
次に、液晶シャッターメガネ１の概略構成の一例について図１を用いて説明する。図１は、液晶シャッターメガネ１の概略構成の一例を示すブロック図である。
【００５０】
液晶シャッターメガネ１は、上述のように表示装置２とともに利用することにより、観賞者が３次元映像の観賞を可能にするものである。液晶シャッターメガネ１は、シャッター制御部１１、液晶シャッター１２（映像切替用シャッター）、電源１３、同期信号待機スイッチ１４（受信可否切替手段）、同期信号受信回路１５及び記憶部１６を備えている。
【００５１】
シャッター制御部１１は、主として、電源制御部１１１、電池残量検出部１１２（電池残量検出手段）、電池残量判定部１１３（電池残量判定手段）、保持可否判定部１１４、保持制御部１１５（保持制御手段）、同期制御部１１６及び液晶駆動制御部１１７を備える。シャッター制御部１１は、例えば制御プログラムを実行することにより、液晶シャッターメガネ１を構成する部材を制御するものである。シャッター制御部１１は、記憶部１６に格納されているプログラムを、例えばＲＡＭ（Random Access Memory）等で構成される一次記憶部（不図示）に読み出して実行することにより、液晶シャッター１２の開閉動作制御又は保持制御等の各種処理を行う。
【００５２】
電源制御部１１１は、電源１３による液晶シャッターメガネ１の各部への電力供給量を制御する。電源制御部１１１は、同期信号待機スイッチ１４からオンの状態である旨の通知を受けたときには、映像を観賞するために必要となる部材すべてに電力供給を行う。一方、同期信号待機スイッチ１４からオフの状態である旨の通知を受けたときには、電池残量を検出し、液晶シャッター１２の透過状態の保持制御を行うために必要となる部材だけに電力供給を行うとともに、そのために必要な電力供給量に制限する。
【００５３】
なお、電源制御部１１１は、液晶シャッター１２の液晶層２３（図５参照）に強誘電性液晶を用いた場合、オフの状態のときに電池残量検出及びその透過状態の保持のための電力供給を行わなくてもよい。これは、強誘電性液晶が、オンからオフへ切り替わった後に（当該液晶への電圧印加状態からその印加を中止した後に）、電圧を印加しなくても、オフになる直前の液晶分子の配列状態（液晶分子の向き）に保持することができることに起因する。
【００５４】
電池残量検出部１１２は、電源１３を監視することにより、液晶シャッターメガネ１における電池残量を検出し、その検出結果（電池残量を示す残量情報）を電池残量判定部１１３に送信する。
【００５５】
電池残量判定部１１３は、電池残量検出部１１２から受信した残量情報と、記憶部１６に記憶された所定値とを比較し、電池残量が所定量以上（所定量未満）であるかを判定する。そして、電池残量判定部１１３は、その判定結果を保持可否判定部１１４に送信する。
【００５６】
記憶部１６に記憶されている所定値は、少なくとも、数秒〜数分間、映像の観賞ができる程度の電力供給を行うことができる電池残量に設定されている。これにより、映像の観賞ができる程度に電池残量がない場合に、その状態を観賞者に通知するための処理（保持制御部１１５による透過状態の制御）を行うことを可能とする。
【００５７】
また、この所定値は、観賞者が液晶シャッター１２を見たときに、その液晶シャッター１２の透過状態の相違を認識することができるのであれば、段階的に複数設定されていてもよい。その相違には、右目用液晶シャッター１２１及び左目用液晶シャッター１２２それぞれの透過状態の相違も含まれる。これにより、観賞者は、映像の観賞の可否だけでなく、電池残量が減少していく推移を確認することができるので、電池残量がどのくらいでなくなってしまうかを容易に予測することができる。
【００５８】
例えば、閾値が２つ設定されている場合には、電池残量判定部１１３は、上記の残量情報と、第１所定量を示す第１閾値及び第２所定量を示す第２閾値とを比較し、第１閾値以上（第１閾値未満）であるか、第２閾値以上（第２閾値未満）であるかを判定する。第１所定量よりも第２所定量の方が少なく設定されている。例えば、第２閾値が上記で説明した所定値であり、第１所定量は、映像を観賞するには十分な電池残量であるが、数時間後には電池交換や充電が必要となる程度の電池残量である。
【００５９】
保持可否判定部１１４は、電池残量判定部１１３から判定結果を受信したときに、液晶シャッター１２の透過状態を保持するか、同期信号に応じた開閉動作とするか、の判定を行うものである。また、保持可否判定部１１４は、同期信号受信回路１５を監視し、同期信号受信回路１５による同期信号の受信の有無を確認している。具体的には、保持可否判定部１１４は、電池残量が所定値（第２閾値）未満である場合、あるいは同期信号を受信していない場合には、その判定結果を保持制御部１１５に送信する。一方、電池残量が所定値（第２閾値）以上であり、かつ同期信号を受信している場合には、同期制御部１１６に同期制御を行う旨の通知を行う。
【００６０】
保持制御部１１５は、保持可否判定部１１４から上記の判定結果を受信した場合には、液晶駆動制御部１１７を制御することにより、液晶シャッター１２の透過状態の保持制御を行う。例えば、保持制御部１１５は、記憶部１６に記憶されている光透過状態決定テーブルを参照し、その判定結果に対応する、液晶シャッター１２の液晶層２３に印加する電圧値が示す電圧を印加し、その電圧印加により実現される透過状態に液晶シャッター１２を保持する。光透過状態決定テーブルとは、電池残量判定部１１３が判定処理を行うときに用いる閾値（複数設定されている場合を含む）と、保持制御部１１５が透過状態の保持制御を実現するための電圧値との対応を示したものである。なお、これらの情報が記憶されている形式はテーブルに限られることはない。
【００６１】
換言すれば、保持制御部１１５は、液晶シャッター１２を、電池残量検出部１１２が検出した電池残量に応じた光の透過状態に保持（維持）する。また、保持制御部１１５は、電池残量検出部１１２が検出した電池残量に応じた光の透過状態を実現するように、液晶シャッター１２を制御するものともいえる。具体的には、保持制御部１１５は、電池残量判定部１１３が上記の所定量（所定値）以上であると判定したときの液晶シャッター１２の透過率と、所定量未満であると判定したときの透過率との相違を観賞者が認識可能なように、それぞれの透過率を設定し、その設定した透過率を保持すべき透過状態とする。これにより、観賞者は、液晶シャッターメガネ１を見るだけで、電池残量が所定量未満になったことを確認できる。
【００６２】
また、閾値が２つ設定されている場合には、保持制御部１１５は、電池残量判定部１１３が第１閾値以上であると判定したときの透過率と、第１閾値未満、第２閾値以上であると判定したときの透過率と、第２閾値未満であると判定したときの透過率との相違を観賞者が認識可能なように、それぞれの透過率を設定し、その設定した透過率を保持すべき透過状態とする。これにより、観賞者は、電池残量を段階的に確認することができるので、電池残量がどのくらいでなくなってしまうかを容易に予測することができる。
【００６３】
また、光透過状態決定テーブルの電圧値は、右目用液晶シャッター１２１及び左目用液晶シャッター１２２それぞれに対して設定されている。このため、ある判定結果について、右目用液晶シャッター１２１及び左目用液晶シャッター１２２の電圧値が異なって設定されている場合には、保持制御部１１５は、右目用液晶シャッター１２１及び左目用液晶シャッター１２２のそれぞれについて透過状態の保持制御を行う。これにより、その保持方法のバリエーションを増やすことができる。
【００６４】
また、この場合には、保持制御部１１５は、液晶シャッター１２を、同期信号待機スイッチ１４の同期信号待機スイッチ１４のオン／オフの状態（受信可否の切替状態）に応じた透過状態に保持することも可能となる。この場合、保持制御部１１５は、同期信号待機スイッチ１４のオン／オフの状態を受信し、その状態に対応した透過状態の保持制御を行う。また、光透過状態決定テーブルには、上記の電圧値がオン／オフの状態にも対応して設定されている。これにより、電池残量の状態だけでなく、同期信号待機スイッチ１４のオン／オフの状態も加味した保持制御を実現できる。
【００６５】
同期制御部１１６は、同期制御を行う旨の通知を保持可否判定部１１４から受信した場合に、液晶駆動制御部１１７を制御することにより、同期信号に応じた液晶シャッター１２の開閉動作制御を行う。
【００６６】
液晶駆動制御部１１７は、保持制御部１１５又は同期制御部１１６による制御により、液晶シャッター１２の光透過状態の保持制御、又は液晶シャッター１２の開閉動作の制御を行う。
【００６７】
次に、液晶シャッター１２は、表示装置２に表示される映像を観賞者に対し、当該映像を表示状態と非表示状態とに切り替えることが可能とするものであり、右目用液晶シャッター１２１（第１映像切替用シャッター）及び左目用液晶シャッター１２２（第２映像切替用シャッター）を備えている。その右目用液晶シャッター１２１と左目用液晶シャッター１２２の各々は、表示装置２に交互に表示される右目用映像と左目用映像との切り替わりのタイミングと同期するように、表示状態（光透過状態）と非表示状態（光遮断状態、非透過状態）とに交互に切り替えられる。これにより、液晶シャッターメガネ１を装着した観賞者は、液晶シャッター１２を通して右目用映像及び左目用映像をそれぞれ別の目で別々に見ることによって、それらの映像を基に立体視を行うことができる。液晶シャッター１２の概略構成及びその種類については後述する。
【００６８】
電源１３は、電源制御部１１１による制御により、電源１３による液晶シャッターメガネ１の各部への電力供給を行う。
【００６９】
同期信号待機スイッチ１４は、液晶シャッター１２の表示状態と非表示状態とを切り替えるための同期信号の受信可否を切り替えるものである。同期信号待機スイッチ１４は、例えば液晶シャッターメガネ１のフレームに取り付けられており、観賞者の操作により、その受信可否を切り替える。観賞者がオンとした場合には、液晶シャッターメガネ１が同期信号を受信可能な状態となり、オフとした場合には同期信号を受信不可の状態となる。同期信号待機スイッチ１４は、オン／オフの状態を電源制御部１１１、同期信号受信回路１５及び／又は保持制御部１１５に通知する。
【００７０】
同期信号受信回路１５は、同期信号待機スイッチ１４による制御により、同期信号を受信する。すなわち、同期信号受信回路１５は、同期信号待機スイッチ１４がオンである旨の通知を受けたときは、同期信号を受信するために動作する一方、オフである旨の通知を受けたときは同期信号の受信を行わない。
【００７１】
なお、この同期信号は、液晶シャッター１２が視差映像の表示タイミングと同期可能なものであればよく、表示装置２から発信されるものであっても、表示装置２とは別の同期信号発信装置から発信されるものであってもよい。
【００７２】
また、記憶部１６は、シャッター制御部１１が実行する（１）各部の制御プログラム、（２）ＯＳプログラム、（３）アプリケーションプログラム、および、（４）これらプログラムを実行するときに読み出す各種データを記録するものである。シャッター制御部１１は、例えばＲＯＭ（Read Only Memory）フラッシュメモリなどの不揮発性の記憶装置によって構成されるものである。なお、上述した一次記憶部は、ＲＡＭなどの揮発性の記憶装置によって構成されているが、本実施形態では、記憶部１６が一次記憶部の機能も備えているものとして説明する場合もある。記憶部１６は、例えば視差映像や、光透過状態決定テーブル等を格納している。
【００７３】
〔液晶シャッター１２の種類〕
次に、液晶シャッター１２の種類について、図３〜図５を用いて説明する。図３はＴＮ型液晶により実現される液晶シャッター１２（ノーマリーホワイト）の概略構成の一例を示すものであり、（ａ）は電圧オフ時の様子を示し、（ｂ）は電圧オン時（印加時）の様子を示す。図４は、ＴＮ型液晶により実現される別の液晶シャッター１２（ノーマリーブラック）の概略構成の一例を示すものであり、（ａ）は電圧オフ時の様子を示し、（ｂ）は電圧オン時の様子を示す。図５は、強誘電性液晶により実現される液晶シャッター１２の概略構成の一例を示すものであり、（ａ）は光遮断状態であるときの様子を示し、（ｂ）は光透過状態であるときの様子を示す。なお、ＴＮ型液晶の代わりに、ＶＡ型液晶を用いることも可能である。
【００７４】
液晶シャッター１２は、図３（ａ）に示すように、主として、偏光板２１、２２及び液晶層２３（シャッター膜）を備えている。それぞれの偏光板２１、２２と液晶層２３との間には、液晶層２３に電圧を印加するための透明電極（不図示）が配置されている。
【００７５】
この液晶シャッター１２では、２つの透明電極間に電圧を印加することによって、液晶層２３の液晶分子２３１の配列方向を変化させる。なお、電圧を印加しないときに光透過状態となる液晶シャッターは「ノーマリーホワイト」と呼ばれ、電圧を印加しないときに光遮断状態となる液晶シャッターは「ノーマリーブラック」と呼ばれている。
【００７６】
例えば、図３（ａ）に示すように、「ノーマリーホワイト」の場合、電圧が印加されていないときに液晶分子２３１が９０度ねじれるように配置されている。また、偏光板２１、２２は、その偏光方向が９０度異なるように配置されている。
【００７７】
この液晶シャッター１２の２つの透明電極間に電圧が印加されていないとき（電圧オフ時）、液晶層２３の液晶分子２３１の向きは変化しない。このため、偏光板２１を透過した光の偏光方向は、液晶分子２３１の配列方向に沿って変化し、偏光板２２に達したときに偏光板２２の偏光方向と一致する。つまり、入射光は、液晶シャッター１２を透過し、観賞者の目に到達するので、このときの液晶シャッター１２は光透過状態にある。
【００７８】
一方、図３（ｂ）に示すように、「ノーマリーホワイト」である液晶シャッター１２の２つの透明電極間に電圧が印加されたとき（電圧オン時）、液晶層２３の液晶分子２３１の配列方向は変化する（同図の真ん中の液晶分子２３１を参照）。このため、偏光板２１を透過した光の偏光方向は、液晶分子２３１の向きに沿って変化しないので、当該光が偏光板２２まで到達しない。すなわち、入射光が観賞者の目まで到達しないので、このときの液晶シャッター１２は光遮断状態にある。
【００７９】
また、「ノーマリーブラック」の場合の電圧オン／オフの状態と光透過／遮断状態との関係は、「ノーマリーホワイト」の場合と逆になる。「ノーマリーブラック」の場合、例えば図４（ａ）に示すように、偏光板２１、２２は、「ノーマリーホワイト」の場合とは異なり、その偏光方向が平行となるに配置されている。なお、液晶分子２３１の配置は「ノーマリーホワイト」の場合と同じである。
【００８０】
電圧オフ時には、同図に示すように、液晶分子２３１の偏光方向が変化しないので、偏光板２１を透過した光は偏光板２２まで到達するが、その光の偏光方向と偏光板２２の偏光方向とが異なる。このため、偏光板２２まで到達した光が偏光板２２を透過することはできず、観賞者の目まで到達しない（光遮断状態）。
【００８１】
一方、電圧オン時には、図４（ｂ）に示すように、液晶分子２３１の偏光方向が変化する（同図の真ん中の液晶分子２３１を参照）。このため、偏光板２１を透過した光の偏光方向が変化することなく、その光は偏光板２２まで到達する。偏光板２１、２２の偏光方向は一致するので、偏光板２２まで到達した光の偏光方向も偏光板２２と一致する。よって、入射光は、液晶シャッター１２を透過し、観賞者の目に到達する（光透過状態）。
【００８２】
次に、液晶層２３に強誘電性液晶が用いられる場合、電圧が印加されていないときに液晶分子２３１が一律に所定の方向を向くように配置されている。換言すれば、液晶シャッター１２は、強誘電性液晶からなるシャッター膜を液晶層２３として備えている。なお、強誘電性液晶の代わりに反強誘電性液晶を用いてもよい。また、偏光板２１、２２は、その偏光方向が９０度異なるように配置されている。
【００８３】
ＴＮ型液晶の場合、電圧の印加を中止すると、液晶分子２３１の向きは、電圧が印加されていないときの状態に戻る。一方、強誘電性液晶の場合、電圧の印加を中止したときの液晶分子２３１の向きが、再度電圧が印加されるまで保持される（つまり電圧が印加されていないときの状態（初期状態）にまで戻らない）。このため、電圧を印加しなくても、電圧印加を中止したときの液晶分子２３１の向きを保持することができる。
【００８４】
例えば、図５（ａ）に示すように、偏光板２２から偏光板２１の方向に電圧が印加された場合には、液晶分子２３１は偏光板２１と同じ向きとなる。このため、偏光板２１を透過した光は偏光板２２まで到達するが、その光の偏光方向と偏光板２２の偏光方向とが異なるため、観賞者の目まで到達しない（光遮断状態）。
【００８５】
一方、図５（ｂ）に示すように、偏光板２１から偏光板２２の方向に電圧が印加された場合には、液晶分子２３１は、電圧の方向と垂直な平面において偏光板２１、２２とは異なる方向に傾く。このため、偏光板２１を透過した光は、複屈折の効果により、液晶分子２３１及び偏光板２２を透過する。よって、入射光は、液晶シャッター１２を透過し、観賞者の目に到達する（光透過状態）。
【００８６】
ここで、上記の液晶シャッター１２のいずれを用いる場合であっても、液晶分子２３１の向きは液晶シャッター１２が備える透明電極に印加される電圧値に依存して変化する。したがって、その電圧値を変化させることにより、光透過状態を段階的に変化させることができる。
【００８７】
〔液晶シャッターメガネ１における制御（ＴＮ型液晶）〕
次に、液晶シャッターメガネ１における制御について、図６〜図９に基づいて説明する。図６は、液晶シャッターメガネ１における制御の一例を示すフローチャートである。なお、この処理では、液晶シャッター１２の液晶層２３がＴＮ型液晶により実現されている場合を想定しており、この場合、同期信号待機スイッチ１４のオフ時にも透過状態の保持制御のために電力を供給する（液晶層２３に電圧を印加する）必要がある。したがって、同期信号待機スイッチ１４のオン／オフの状態を問わない処理である。また、ここでは、液晶シャッター１２が「ノーマリーブラック」であるものとして説明する。
【００８８】
まず、電池残量検出部１１２が液晶シャッターメガネ１の電池残量を検出する（電池残量検出ステップ）。そして、電池残量判定部１１３は、電池残量検出部１１２が検出した電池残量が所定値以上であるかを判定する（Ｓ１）。所定値以上の場合（Ｓ１でＹＥＳ）、保持可否判定部１１４は、同期信号受信回路１５が同期信号を検出しているか（受信しているか）を確認する（Ｓ２）。同期信号を検出している場合（Ｓ２でＹＥＳ）、保持可否判定部１１４は、右目用液晶シャッター１２１及び左目用液晶シャッター１２２の同期制御を行うように、同期制御部１１６に通知する。同期制御部１１６は、液晶駆動制御部１１７を制御することにより、同期信号受信回路１５が検出した同期信号に従って、右目用液晶シャッター１２１及び左目用液晶シャッター１２２（左右の液晶シャッター）を交互に開閉することにより、同期駆動させる（Ｓ３）。
【００８９】
一方、同期信号を検出していない場合（Ｓ２でＮＯ）、保持可否判定部１１４は、電池残量判定部１１３から受信した判定結果を保持制御部１１５に送信する。保持制御部１１５は、液晶駆動制御部１１７を制御することにより、その判定結果に対応する電圧値が示す電圧を印加する（Ｓ４：保持制御ステップ）。ここでは、液晶層２３に印加する電圧値を５Ｖ（最大）にし、液晶シャッター１２を光透過状態とする。そして、Ｓ３及びＳ４の処理後、Ｓ１の処理に戻る。なお、液晶層２３に印加する電圧値の最大値「５Ｖ」は一例であり、これに限らず、液晶シャッターメガネ１の製造次第でその値は適宜変更可能である。また、このとき印加される電圧値は最大値でなくてもよく、液晶シャッター１２を光透過状態とすることが可能な電圧値であればよい。
【００９０】
また、Ｓ１の処理において、所定値未満の場合には（Ｓ１でＮＯ）、保持可否判定部１１４が、電池残量判定部１１３の判定結果を保持制御部１１５に送信し、保持制御部１１５が、液晶駆動制御部１１７を制御することにより、その判定結果に対応する電圧値が示す電圧を印加する。ここでは、液晶層２３に印加する電圧値を０Ｖにし（実質、電圧印加を行わない）、非透過状態とする（Ｓ５：保持制御ステップ）。この「０Ｖ」も一例であり、液晶シャッター１２を非透過状態とすることが可能な電圧値であればよい。
【００９１】
その結果、図７に示すように、同期信号待機スイッチ１４のオン／オフの状態（「スイッチＯＮ状態」／「スイッチＯＦＦ状態」）を問わず、電池残量が所定値以上である場合（電池残量が多い場合）には電圧印加を行うことにより、液晶シャッター１２を透過状態に保持することができる（同図の上段）。一方、電池残量が所定値未満である場合（電池残量が少ない場合）には電圧印加を行わないことにより、液晶シャッター１２を非透過状態に保持することができる（同図の下段）。
【００９２】
なお、Ｓ２において同期信号の検出の有無を確認しているように、同期信号待機スイッチ１４のオン時で、同期信号が検出できている場合には、通常の動作（同期制御）が行われるので、観賞者は、表示装置２に表示された映像を観賞することができる。一方、同期信号待機スイッチ１４がオンであっても同期信号が検出できない場合（「非同期時」）、Ｓ４にて一定の電圧値での電圧印加を行うことにより、液晶シャッター１２を光透過状態に保持することができる。この「非同期時」とは、例えば、表示装置２により映像表示が行われていない、表示装置２の電源が入っていないときを指す。つまり、本実施形態における「非同期」には、映像の表示タイミングと液晶シャッター１２の開閉タイミングとにずれが生じている場合を含まない。
【００９３】
また、図６の処理では、同期信号待機スイッチ１４のオフ時にも電池残量の検出処理（電池残量のモニタリング）等を行って液晶シャッター１２への電圧印加の制御を行っている。これは、ＴＮ型液晶でかつ「ノーマリーブラック」の場合、液晶シャッター１２への電圧印加を行わないときには、同期信号待機スイッチ１４のオフ時に電池残量が多い場合を表現する（非透過状態に保持する）ことができなくなってしまうためである。これを回避すべく、図６の処理では、同期信号待機スイッチ１４のオン／オフを問わず電池残量の判定が行われている。
【００９４】
なお、「ノーマリーホワイト」の場合には、図７で示される保持状態が逆となり、電池残量が多い場合に非透過状態、電池残量が少ない場合に透過状態となる。なお、以下の説明においても同様である。
【００９５】
（本制御を行わない場合の液晶シャッターの様子）
次に、本制御を行わない場合の液晶シャッターの様子について、図８及び図９を用いて説明する。図８及び図９は、同期信号の検出の有無と電池残量に対応する液晶シャッターの透過状態との対応関係を示すものである。図８は液晶シャッターが一般的な「ノーマリーブラック」の場合、図９は液晶シャッターが「ノーマリーホワイト」の場合を示している。例えば、「ノーマリーホワイト」の実用例としては、パナソニック社製「ＴＹ−ＥＷ３Ｄ１０」が挙げられる。
【００９６】
液晶シャッターメガネ１では、図６の処理、特に電池残量検出部１１２、電池残量判定部１１３、保持可否判定部１１４及び保持制御部１１５の処理が行われるため、液晶シャッター１２を電池残量に応じた透過状態に保持することができる。逆に言えば、一般的な液晶シャッターメガネには上記処理を実現する機能が備わっていないため、液晶シャッターを電池残量に応じた透過状態とすることができない。
【００９７】
例えば、図８に示すように、一般的な「ノーマリーブラック」の液晶シャッターを備えた液晶シャッターメガネでは、同期信号を検出している場合には、その同期信号に応じた液晶シャッターの開閉動作制御が行われるが、同期信号を検出していない場合には、電池残量の多寡に関わらず液晶シャッターが非透過状態となってしまう。
【００９８】
また、図９に示すように、一般的な「ノーマリーホワイト」の液晶シャッターを備えた液晶シャッターメガネも同様、同期信号を検出していない場合には、電池残量の多寡に関わらず液晶シャッターが透過状態となってしまう。
【００９９】
つまり、これらの液晶シャッターメガネでは、電池残量の状態に応じて液晶シャッターの保持状態を切り替えることができない。さらに、これらの液晶シャッターメガネでは、後述の本実施形態の変形例３（図１２参照）のように、同期信号の受信可否の状態によってもその保持状態を切り替えることができない。
【０１００】
換言すれば、一般的な「ノーマリーブラック」の場合には、図８に示すように、電池残量の状態及び同期信号の受信可否の状態の全ての組み合わせにおいて液晶シャッターが閉状態となる。また、一般的な「ノーマリーホワイト」の場合には、図９に示すように、その全ての組み合わせにおいて液晶シャッターが開状態となる。このため、これらの液晶シャッターメガネでは、観賞者が一目で電池切れを認識することができなかった。
【０１０１】
一方、本実施形態の液晶シャッターメガネ１及びその制御方法では、保持制御部１１５が、液晶シャッター１２を、電池残量検出部１１２が検出した電池残量に応じた透過状態に保持している。このため、観賞者は、液晶シャッターメガネ１を見るだけで、その電池残量を容易に確認することができる。
【０１０２】
また、本実施形態の液晶シャッターメガネ１では、保持制御部１１５が、電池残量の状態に加えて、同期信号待機スイッチ１４のオン／オフの状態に応じた透過状態に保持している。このため、観賞者は、液晶シャッターメガネ１を見るだけで、そのオン／オフの状態についても容易に確認することができる。それゆえ、同期信号待機スイッチ１４がオフの状態で映像を観賞するような状況を未然に防ぐことができる。
【０１０３】
なお、電池切れが生じたときに、受信する同期信号に基づいて、液晶シャッターの開閉タイミングを変更する（例えば同期状態の周期よりもその周期を大きくする）ことによって、その状況を知らせる構成も考えられる。
【０１０４】
例えば「ノーマリーホワイト」の場合、電池残量が多いときに、同期状態を除けば開状態とすることができ、電池切れが生じたときには、同期状態であれば閉状態とすることができるので、この状況においては、電池残量の状態に応じた透過状態を実現することが可能となる。しかし、この場合、受信する同期信号に基づいて開閉タイミングが決定されるので、そもそも同期信号を受信できない状態においては、液晶シャッターの開閉タイミングを変更することができない。このため、電池切れが生じ、同期状態でない場合には、電池残量が多いときも電池切れが生じたときも、開状態となり、その相違を観賞者が認識することができない。
【０１０５】
つまり、電池切れが生じたときに、受信する同期信号に基づいて、液晶シャッターの開閉タイミングを変更する構成の場合、同期信号の受信を前提とした制御であるため、電池残量の状態に応じた液晶シャッターの透過状態を実現できず、観賞者が電池切れを認識することができない可能性がある。
【０１０６】
一方、本実施形態の液晶シャッターメガネ１では、保持可否判定部１１４が液晶シャッター１２を同期制御部１１６により同期駆動させるか、保持制御部１１５により保持制御させるかを決定している。このため、同期信号を受信不可の状態であっても、非同期時の電池残量が多いときの透過状態とは相違する透過状態とすることができる。すなわち、本実施形態では、観賞者に電池残量が少なくなった旨を確実に、かつ容易に認識させることが可能な液晶シャッターメガネを実現することができる。
【０１０７】
なお、電池残量の多寡、同期信号の受信可否の状態、及び、受信可能な状態においては同期信号の検出の有無といった組み合わせ（６パターン）が考えられる。本実施形態の液晶シャッターメガネ１は、従来の液晶シャッターメガネとは異なり、その組み合わせを考慮して、電池残量の多寡を適切に表現する（その多寡を適切に観賞者に認識できる）ように液晶シャッター１２の保持制御を行うことができる。つまり、従来の液晶シャッターメガネは、上記の組み合わせを考慮した電池残量の多寡を適切に表現することができない。
【０１０８】
（本制御の変形例１）
次に、本制御の変形例について、図１０を用いて説明する。図１０は、同期信号の検出の有無と電池残量に対応する液晶シャッターの透過状態との対応関係の別の一例を示すものである。
【０１０９】
図６のＳ４の処理では、同期信号受信回路１５が同期信号を検出していなければ、例えば５Ｖの電圧印加、すなわち一定の電圧印加のみが行われている。これは、電池残量判定部１１３が１つの閾値（所定値）を用いて電池残量の判定を行っているためである。しかし、上述のように、電池残量判定部１１３が用いる閾値は複数設定されていてもよく、この場合には電池残量の状態を細分化して、その細分化された状態に応じた透過状態とすることができる。ここでは、その閾値として、上述した第１閾値及び第２閾値が設定されている場合について説明する。
【０１１０】
この場合、図６のＳ１では、電池残量判定部１１３が、電池残量検出部１１２が検出した電池残量がまず第２閾値以上であるかを判定する。第２閾値未満であれば、Ｓ５の処理が行われる。このとき、図１０の下段に示されるように、液晶シャッター１２は非透過状態となる。
【０１１１】
また、Ｓ１では、電池残量判定部１１３は、第２閾値以上と判定した場合には、その電池残量が第１閾値以上であるかも判定する。「第１閾値以上」及び「第２閾値以上、第１閾値未満」のいずれかの判定結果を保持可否判定部１１４に送信する。
【０１１２】
Ｓ２において、保持可否判定部１１４は、同期信号が検出されていないと判定した場合（Ｓ２でＮＯ）、保持制御部１１５に、受信した上記いずれかの判定結果を送信し、Ｓ４において、その判定結果に対応した、液晶シャッター１２への電圧印加の制御を行わせる。
【０１１３】
例えば、保持制御部１１５は、第１閾値以上であれば５Ｖの電圧印加を行うことにより、液晶シャッター１２を透過状態（全透過状態）に保持し、第２閾値以上、第１閾値未満であれば２．５Ｖの電圧印加を行うことにより、液晶シャッター１２を半透過状態に保持する。観賞者はこの状態を見ることにより、電池残量が少なくなっていることを確認するだけでなく、電池残量が多いのか、電池残量が半分程度であるのか、といった電池残量のより細かい状態を確認することができる（図１０の上段及び中段）。なお、第１閾値以上のときの電圧値「５Ｖ」は一例であり、液晶シャッター１２を全透過状態にすることが可能な電圧値であればよい。同様に、第２閾値以上、第１閾値未満のときの電圧値「２．５Ｖ」についても、液晶シャッター１２を半透過状態にすることが可能な電圧値であればよい。
【０１１４】
このように、２つの閾値設定の場合には、電池残量を３つの状態で表すことができるので、観賞者は、電池残量を段階的に確認することができる。このため、観賞者は、電池残量がどのくらいでなくなってしまうかを容易に予測することができる。
【０１１５】
ここでは、２つの閾値設定の場合について説明したが、３つ以上の閾値が設定されていてもよい。この場合、電池残量の状態をさらに細分化して表現することができる。具体的には、光透過状態決定テーブルにおいて、その細分化された電池残量に対応した電圧値が設定される。
【０１１６】
（本制御の変形例２）
次に、本制御の別の変形例について、図１１を用いて説明する。図１１は、同期信号の検出の有無と電池残量に対応する液晶シャッターの透過状態との対応関係のさらに別の一例を示す図である。
【０１１７】
この場合も図１０と同様の処理が行われるが、記憶部１６に記憶されている光透過状態決定テーブルによる設定が図１０の場合とは異なっているため、液晶シャッター１２の保持制御も異なっている。
【０１１８】
例えば、図１０では、電池残量の状態ごとに、右目用液晶シャッター１２１及び左目用液晶シャッター１２２にそれぞれ同じ電圧が印加されている。つまり、光透過状態決定テーブルにおいて、右目用液晶シャッター１２１及び左目用液晶シャッター１２２に印加される電圧値は、電池残量の状態ごとに一定に設定されている。
【０１１９】
一方、例えば図１１では、「電池残量が半分程度である場合」に対応する電圧値は、右目用液晶シャッター１２１及び左目用液晶シャッター１２２のそれぞれについて、例えば０Ｖ及び５Ｖに設定されている。つまり、電池残量の状態ごとに電圧値が設定されているが、右目用液晶シャッター１２１及び左目用液晶シャッター１２２の電圧値まで同じように設定されているわけではない。
【０１２０】
このように、同じ電池残量であっても、右目用液晶シャッター１２１及び左目用液晶シャッター１２２それぞれについて異なる電圧値を設定することにより、電池残量の状態に対応して液晶シャッター１２の保持状態にバリエーションを持たせることができる。
【０１２１】
（本制御の変形例３）
次に、本制御のさらに別の変形例について、図１２を用いて説明する。図１２は、同期信号の検出の有無と電池残量に対応する液晶シャッターの透過状態との対応関係のさらに別の一例を示す図である。
【０１２２】
図１１では、右目用液晶シャッター１２１及び左目用液晶シャッター１２２それぞれについて異なる電圧値に設定されている。しかし、図１２では、同じ電池残量の状態であっても、同期信号が受信可能かどうかによっても液晶シャッター１２に印加される電圧値が異なっている。つまり、図１２のように、液晶シャッターメガネ１は、電池残量の状態だけでなく、同期信号待機スイッチ１４のオン／オフの状態に応じても、液晶シャッター１２の保持制御を変更することができる。
【０１２３】
この場合、光透過状態決定テーブルには、電池残量判定部１１３の判定結果ごとに、同期信号待機スイッチ１４のオン／オフの状態が対応付けられ、さらにそのオン／オフの状態それぞれに右目用液晶シャッター１２１及び左目用液晶シャッター１２２に印加される電圧値が対応付けられている。
【０１２４】
つまり、図６のＳ４及びＳ５において、保持制御部１１５は、保持可否判定部１１４から電池残量判定部１１３の判定結果を受信したときに、同期信号待機スイッチ１４のオン／オフの状態も受信する。保持制御部１１５は、光透過状態決定テーブルを参照することにより、その判定結果及びオン／オフの状態に対応する電圧値が示す電圧を、右目用液晶シャッター１２１及び左目用液晶シャッター１２２のそれぞれに印加する。
【０１２５】
その結果、例えば図１２に示すように、保持制御部１１５は、電池残量の状態及びオン／オフの状態のそれぞれに対応した保持状態を実現する。このため、電池残量の状態に応じた保持状態のバリエーションを増やすことができるだけでなく、観賞者に同期信号待機スイッチ１４のオン／オフの状態を認識させることが可能な保持状態を実現できる。つまり、観賞者は、液晶シャッターメガネ１を見るだけで、電池残量の確認とともに同期信号待機スイッチ１４のオン／オフの状態についても、容易に確認することができる。
【０１２６】
〔液晶シャッターメガネ１における制御（強誘電性液晶）〕
次に、液晶シャッターメガネ１における別の制御について、図１３を用いて説明する。図１３は、液晶シャッターメガネ１における別の制御の一例を示すフローチャートである。図１３に示すＳ１２〜Ｓ１６の処理は、図６に示すＳ１〜Ｓ５の処理と同様であるので、ここではその説明を省略する。
【０１２７】
図６では、液晶シャッター１２の液晶層２３がＴＮ型液晶により実現されている場合を想定していたが、図１３では、その液晶層２３が強誘電性液晶により実現される場合を想定している。上述したように、強誘電性液晶は、同期信号待機スイッチ１４がオンからオフへ切り替わった後に、電圧を印加しなくても、オフになる直前の液晶分子の配列状態に保持することができる。このため、同期信号待機スイッチ１４のオン時にはＳ１〜Ｓ３の処理を行い、オフ時にはその処理を行わないようにすることにより、オフ時に電池残量の検出処理（電池残量のモニタリング）等を行わないようにすることができる。
【０１２８】
つまり、図１３では、まず、保持制御部１１５が、同期信号待機スイッチ１４のオン／オフの状態を判定し（Ｓ１１）、オンの場合には（Ｓ１１でＹＥＳ）、電池残量検出部１１２にその旨を通知する。この場合は、図６と同様の処理が行われ、Ｓ１４及びＳ１５の処理後Ｓ１１の処理に戻る。但し、図６では「ＴＮ型液晶」を用いているので、Ｓ４において透過状態を保持するために、例えば５Ｖの電圧印加を行っておく必要がある。一方、図１３では「強誘電性液晶」を用いているので、Ｓ１５において透過状態を保持するために、保持制御部１１５は、一旦例えば５Ｖの電圧印加を行って液晶シャッター１２を開状態した後、０Ｖの電圧印加を行う。つまり、「強誘電性液晶」の場合、電圧印加を中止しても、中止直前の透過状態を保持できるので、消費電力の低減を図ることができる。
【０１２９】
一方、オフの場合には（Ｓ１１でＮＯ）、保持制御部１１５は、Ｓ１７において図６のＳ５と同様の処理を行う。但し、図１３では「強誘電性液晶」を用いているので、Ｓ１７において非透過状態を保持するために、保持制御部１１５は、一旦例えば−５Ｖの電圧印加を行って液晶シャッター１２を閉状態とした後、０Ｖの電圧印加を行う。これにより、図６のＳ５の処理と同様、液晶シャッター１２を非透過状態に保持できる。なお、Ｓ１６の処理もＳ１７の処理と同様である。
【０１３０】
このようにして、オフ時の処理をＳ１７の処理のみに削減することにより、液晶シャッターメガネ１の消費電力量を削減することができる。
【０１３１】
〔本発明の別の表現〕
本発明は、以下のようにも表現できる。
【０１３２】
すなわち、本発明に係る映像選択視聴用眼鏡（映像観賞用メガネ）は、表示装置に表示される映像を視聴者に対し、前記表示装置からの同期信号を受信し、同期させることによって当該映像を表示状態と非表示状態とに切り替えることが可能な左目用シャッターおよび右目用シャッターを有する映像選択視聴用眼鏡であって、前記眼鏡の電池の残量を認識する手段と、前記信号を受信しない状態において前記眼鏡の電池の残量に応じて異なった眼鏡の液晶シャッターの光透過状態を保持する手段を有する構成である。
【０１３３】
また、本発明に係る映像選択視聴用眼鏡は、前記光透過状態はシャッター全開状態とシャッター全閉状態とシャッター半透過状態の３状態であることが好ましい。
【０１３４】
また、本発明に係る映像選択視聴用眼鏡は、スイッチのオンオフを判断する手段を有し、前記眼鏡の電池の残量と前記眼鏡のスイッチのオンオフの状態の組み合わせに応じて、所定の液晶シャッターの光透過状態を保持することが好ましい。
【０１３５】
また、本発明に係る映像選択視聴用眼鏡は、前記液晶シャッターに用いられる液晶は、強誘電性液晶または、反強誘電性液晶であることが好ましい。
【０１３６】
〔補足〕
最後に、液晶シャッターメガネ１の各ブロック、特にシャッター制御部１１の電源制御部１１１、電池残量検出部１１２、電池残量判定部１１３、保持可否判定部１１４、保持制御部１１５、同期制御部１１６及び液晶駆動制御部１１７は、ハードウェアロジックによって構成してもよいし、次のようにＣＰＵ（central processing unit）を用いてソフトウェアによって実現してもよい。
【０１３７】
すなわち、液晶シャッターメガネ１は、各機能を実現する制御プログラムの命令を実行するＣＰＵ、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである液晶シャッターメガネ１の制御プログラムのプログラムコード（実行形式プログラム、中間コードプログラム、ソースプログラム）をコンピュータで読み取り可能に記録した記録媒体を、前記液晶シャッターメガネ１に供給し、そのコンピュータ（又はＣＰＵやＭＰＵ）が記録媒体に記録されているプログラムコードを読み出し実行することによっても、達成可能である。
【０１３８】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３９】
また、液晶シャッターメガネ１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０１４０】
つまり、本実施形態の液晶シャッターメガネ１を動作させる制御プログラムであって、コンピュータを上記の各部として機能させるための制御プログラム、及び、当該制御プログラムを記録したコンピュータ読み取り可能な記録媒体も本発明の技術的範囲に含まれる。
【０１４１】
上記制御プログラムによれば、コンピュータで上記の各部を実現することにより、コンピュータ上で液晶シャッターメガネ１を実現することができる。また、上記記録媒体によれば、記録媒体から読み出される制御プログラムを、汎用のコンピュータ上で実現することができる。
【０１４２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４３】
本発明の映像観賞用メガネは、観賞者がその電池残量を一目で確認することを可能とし、特にＴＮ型液晶及び強誘電性液晶を用いた液晶シャッターメガネに好適である。
【符号の説明】
【０１４４】
１    液晶シャッターメガネ（映像観賞用メガネ）
２    表示装置
１０  映像観賞システム
１２  液晶シャッター（映像切替用シャッター）
１４  同期信号待機スイッチ（受信可否切替手段）
２３  液晶層（シャッター膜）
１１２  電池残量検出部（電池残量検出手段）
１１３  電池残量判定部（電池残量判定手段）
１１５  保持制御部（保持制御手段）
１２１  右目用液晶シャッター（第１映像切替用シャッター）
１２２  左目用液晶シャッター（第２映像切替用シャッター）
【図１】
2012161043.tif 000003
【図２】
2012161043.tif 000004
【図３】
2012161043.tif 000005
【図４】
2012161043.tif 000006
【図５】
2012161043.tif 000007
【図６】
2012161043.tif 000008
【図７】
2012161043.tif 000009
【図８】
2012161043.tif 000010
【図９】
2012161043.tif 000011
【図１０】
2012161043.tif 000012
【図１１】
2012161043.tif 000013
【図１２】
2012161043.tif 000014
【図１３】
2012161043.tif 000015